(57)【特許請求の範囲】
【請求項１】
基体部（８９ａ）と補強部（８０ｂ）で三角状に形成の基体（８０）に往復動可能な握体（１）を挿通し、前記握体（１）に突起部（７０）を設け、前記突起部（７０）に設ける回動軸（７１ａ）で回動可能なテコ体（７１）を取り付け、
半環状体（７）を前記補強部（８０ｂ）に設けた回動軸（Ａ）で回動可能に取り付けると共に、前記テコ体（７１）の他端部と前記半環状体（７）の端部を回動軸（７１ｂ）で回動可能に連結し、
前記握体（１）の端部を前記突起部（７０）より突出させて、最初に胴に当たる胴当て体（８）として作用させることを特徴とするサスマタ。
【発明の詳細な説明】
【技術分野】
【０００１】
本願発明は、サスマタに関する。
【背景技術】
【０００２】
現代社会において、年々治安悪化が進み社会問題となっている。悪人が弱者を脅かすと事件が発生し、勇気を持って立ち向かうにしても、相手が刃物等を所持したりしている場合には、被害を被ることが多い。
そこで、係る場合に対処する道具として「サスマタ」があり、例えば、特許文献１に開示してある。この特許文献１に開示のサスマタは、抑制すべき相手の身柄を拘束しようとする場合、湾曲状のふたまた部本体内に突出用圧縮バネが収縮した状態で可動腕が挿入されている。
そして、常時は、前記突出用バネは施錠爪によって、収縮状態であるが、抑制すべき相手をふたまた部内で確保した時点で、相手の身体を利用して、作動板に押圧を加えられると、前記施錠爪が解錠され、圧縮バネが伸長し、可動腕がふたまた部本体内から突出して、相手の身体を包み込み、行動の自由を奪って抑制できるものである。
【先行技術文献】
【特許文献】
【０００３】
【特許文献１】特開２００６-３２９６０２号公報
【発明の概要】
【発明が解決しようとする課題】
【０００４】
前記開示のサスマタは、相手の身体を包み込む可動腕が突出する機構が突出用圧縮バネの反発力を利用すると共に、施錠爪の解除を行う機構が必要であり、可動腕の操作機構が複雑である。
そこで、本願はサスマタの新たな機構を提供するものである。
【課題を解決するための手段】
【０００５】
請求項１のサスマタは、基体部と補強部で三角状に形成の基体に往復動可能な握体を挿通し、前記握体の端部に突起部を設け、前記突起部に設ける回動軸で回動可能なテコ体を取り付け、半環状体を前記補強部に設けた回動軸で回動可能に取り付けると共に、前記テコ体の他端部と前記半環状体の端部を回動軸で回動可能に連結し、前記握体の端部を前記突起部より突出させて、最初に胴に当たる胴当て体として作用させる。
【発明の効果】
【０００８】
本願のサスマタは、簡便なアーム体の開閉機構を備えている。
【図面の簡単な説明】
【０００９】
【図１】アーム体を開いた状態のサスマタの平面図である。
【図２】アーム体を閉じた状態のサスマタの平面図である。
【図３】操作棒のロック、アンロック機構であり、（Ａ）は操作棒がアンロック状態であり、(Ｂ)は操作棒がロック状態である。
【図４】操作棒のラチェット機構であり、(Ａ)はアーム体が開状態であり、（Ｂ）はアーム体が閉状態を維持する状態図である。
【図５】アーム体の回動をギアで行う図である。
【図６】アーム体を開いた状態の他の構造のサスマタの平面図である。
【図７】アーム体を閉じた状態の他の構造のサスマタの平面図である。
【図８】アーム体を開いた状態の他の構造のサスマタの平面図である。
【図９】アーム体を閉じた状態の他の構造のサスマタの平面図である。
【発明を実施するための形態】
【００１０】
本発明について、図面を参照して説明する。図１はアーム体３０を開いた状態のサスマタの平面図、図２はアーム体３０を閉じた状態のサスマタの平面図、図３はロック体９のロック、アンロック機構１０であり、図３（Ａ）はロック体９がロック状態であり、図３(Ｂ)はロック体９がアンロック状態である。また、図４は操作棒３のラチェット機構２１であり、図４(Ａ)はアーム体３０が開状態であり、図４（Ｂ）はアーム体３０が閉状態を維持する状態図である。
【００１１】
サスマタは、アーム体３０と、そのアーム体３０に連結されている操作棒３からなる。この操作棒３は円筒状の握体１に内装されていて往復動可能である。
尚、前記アーム体３０、操作棒３、握体１の材質は、金属、木材等、種々選定できるし、断面形状は四角状でも丸状であってもよい。
前記アーム体３０は操作棒３を中心に左右対称に構成されていて、固定体４、連結体５及び半環状体7等で構成されて開閉動作する。
【００１２】
前記固定体４は直線状の板状であり、前記操作棒３の先端部に垂直に固定されている。連結体５は直線状の板状であり、前記固定体４に回動軸４ａで回動可能に連結されている。また、半環状体7は、弓状であり、人の胴回りを囲うことが可能な形状であり、前記連結体５に回動軸５ａで回動可能に連結されている。また、前記回動軸５ａにはネジリコイルバネが装着してあり、常時、半環状体7を開方向に付勢している。尚、前記右側の半環状体7の端部は、左側の半環状体7の先端部を挿入可能な口径7ａに形成されている。
【００１３】
また、ロック、アンロック機構１０のケース１１（又は握体１）には、プレート２が前記右半環状体7に当接可能に取り付けてある。即ち、後記で詳述するが、アーム体３０は固定体４（操作棒３）が復動することによって、前記右半環状体7が前記プレート２に当接して、アーム体３０を閉状態にし、往動することによって、開状態になる。
【００１４】
胴当て体８はロック体９に垂直状に取り付けてあり、このロック体９は前記操作棒３に沿って取り付けてある。また、前記ロック体９の端部は後述の湾曲体１５に挿入するのに引っかからないために、わずかに端部９ａが曲折してある。
また、前記操作棒３は、握体１から胴当て体８側に突出していて、前記胴当て体８が押圧されて固定体４を介して握体１内を復動すると、前記したように、前記半環状体7が前記プレート２に当接して、前記半環状体7はそれぞれネジリコイルバネ６の付勢力に打ち勝って、回動軸５ａで回動し、半環状体7（アーム体３０）を閉状態にする。
【００１５】
次に、前記ロック体９の移動に伴って、操作棒３のロック、アンロック機構１０について説明する。
握体１の外周にはケース１１が取り付けてあり、その内部には回動軸１４で回動可能なＴ字状の係止体１３が取り付けてあり、この係止体１３の端部には前記操作棒３に摺動状態の湾曲体１５が形成してあると共に、前記握体１に穿設の貫通孔１６ａを挿通し、且つ、操作棒３に穿設の係止孔１８に出没可能な突出片１６で構成されている。尚、前記係止体１３には、常時、前記突出片１６が貫通孔１６ａと係止孔１８に挿入方向に押圧するバネ１２が設けてある。
【００１６】
このロック、アンロック機構１０は、ロック体９が往動すると、図３（Ａ）に示すように、突出片１６がバネ１２の押圧によって、貫通孔１６ａと係止孔１８に挿入状態であるので、操作棒３はロック状態であり、この状態はアーム体３０が開状態である。
反対に、胴当て体８が復動して固定体４を介して、ロック体９が握体１内を復動すると、ロック体９は操作棒３と湾曲体１５の間に挿入されて、基体１３を回動軸１４で回動することによって、突出片１６は貫通孔１６ａから離脱し、アンロック状態になり、操作棒３の移動を可能にする(図３(Ｂ))。
【００１７】
次に、図４に示すラチェット機構２０について説明する。前記握体１に穿設されている貫通孔から延設して操作棒３には係止孔２２が形成されている。また、ヘ字状の操作体２５は回動軸２３に回動可能に取り付けてあり、前記握体１の外側から操作可能になっている。
また、前記操作体２５の先端部には前記係止孔２２に出没可能に、且つ、外周から中心に向けて操作棒３の復動が可能な傾斜状の爪２６が、適宜の間隔に取り付けてある。また、前記ラチェット機構２０はケース体２８で覆われていて、前記操作体２５の爪２６が、常時、バネ２7で係止孔２２に挿入する方向に付勢している。
【００１８】
この操作体２５は、端部を時計方向に回動すると、図４（Ａ）に示すように、バネ２7の付勢力に打ち勝って、爪２６は係止孔２２から離脱する。そのため、操作棒３はラチェット機構から開放されるので、操作棒３を往動させて、アーム体３０を開状態にできる。
一方、操作棒３が一旦復動すると、爪２６が係止孔２２に挿入され、もはや、爪２６が係止孔２２に挿入されると、その傾斜状の爪２６により、操作棒３を往動させることができない。即ち、アーム体３０が閉鎖されると、このラチェット機構をはずさない限り開放することができない。
【００１９】
次に、前記構成のサスマタの使用方法について説明する。
先ず、図４（Ａ）に示すように、操作体２５を時計方向に回動して、爪２６を係止孔２２から離脱して、操作棒３を往動させると、操作棒３は握体１から更に突出して、図３（Ｂ）に示す状態から図３(Ａ)になり、アーム体３０は図１に示す開状態になる。また、胴当て体８を往動させると、突出片１６が係止孔１８に挿入され、操作棒３はロック状態になる。即ち、サスマタのアーム体３０は、図１に示すように開状態で維持されて使用可能になる。
【００２０】
この状態のサスマタを、握体１を持って、相手人の腹辺りに向かって突くと、胴当て体８が腹に当たることによって、ロック体９は復動して、図３（Ａ）から図３(Ｂ)の状態に、即ち、ロック体９が操作棒３と湾曲体１５の間に挿入されて、基体１３を回動軸１４で回動することによって、突出片１６は貫通孔１６ａから離脱し、操作棒３がアンロック状態になると共に、固定体４を介して操作棒３は握体１を復動して、握体１を持っている人は、相手人の腹辺りに当たったことを感じる。
【００２１】
そして、前記操作棒３の復動によってアーム機構が作動し、具体的に、半環状体7がプレート２に当接して、半環状体7はそれぞれネジリコイルバネ６の付勢力に打ち勝って、回動軸５ａで回動し、左右の半環状体7とが先端で結合し、左右の半環状体7は相手人の腹を囲ったことになる。
また、操作棒３の復動によって、ラチェット機構２１における傾斜状の爪２６が適宜の間隔に形成されている係止孔２２に挿入する。このラチェット機構２１によって、相手人はアーム体３０を往動方向に引っ張っても、操作棒３は動くことなく、アーム体３０を開状態にすることができず、もはや逃れることができない。
尚、このサスマタを解除する(アーム体３０を開状態にする)には、前記した操作体２５を時計方向に回動して、ラチェット機構２１から操作棒３を解除して、前記サスマタを使用可能な状態にするときと同じ操作をする。
【００２２】
次に、前記図１〜図４に示す構成と異なるサスマタについて、図５を参照して説明する。尚、同じ機能の部品には同じ符号を付す。
アーム体３０は操作棒３を中心に左右対称に構成されていて、固定体４とギア５２及び半環状体7等で構成されて開閉動作する。即ち、環状体7の開閉をギアで行うものであり、環状体7はギア５２に取り付けてあり、このギア５２は操作棒３に連結の操作体５０に形成の歯５１に歯合してある。
また、胴当て体８、ロック体９、ロック、アンロック機構１０、ラチェット機構２１は前記図１〜図４に示す構成と同じである。
従って、胴当て体８が相手の腹部に当てて押すと、胴当て体８と共にロック体９が復動して、操作棒３がアンロックになり、固定体４を介して操作棒３が更に復動すると、歯５１を介して歯ギア５２が回転するので、アーム体３０は閉状態になる。また、前記操作棒３の復動によってラチェット機構２１によって、相手人はアーム体３０を往動方向に引っ張っても、操作棒３は動くことなく、もはや逃れることができない。なお、このラチェット機構２１を解除して、使用可能状態にする操作は前記と同じである。
【００２３】
次に、前記とは異なる構成のサツマタについて、図６、図7を参照して説明する。図６はアーム３０が開状態であり、図7は閉状態である。また、胴当て体８、ロック体９、ロック、アンロック機構１０、ラチェット機構２１は前記図１〜図４に示す構成と同じであり、同じ機能の部品には同じ符号を付す。
【００２４】
開閉するアーム体３０は、操作棒３を中心に左右対称に構成されていて、固定体４、連結体４０、テコ体４１及び半環状体7で構成されている。
固定体４は操作棒３の先端部に垂直に固定されていて、連結体４０は前記固定体４と回動軸４ａで回動可能に連結されている。また、テコ体４１は、プレート２に設けてあるテコ軸４５で回動可能に取り付けてあると共に、前記連結体４０と回動軸４１ａに回動可能に取り付けてある。また、弓状の半環状体7は、前記テコ体４１と回動軸４１ｂで回動可能に連結されている。
【００２５】
次に、前記構成のサスマタの動作について説明するが、前記図１〜図４に示すサスマタとほぼ同じであり、図６に示すアーム体３０を開いた状態で、相手の腹部を押すと、胴当て体８と共にロック体９が復動して操作棒３がアンロックになる。そして、胴当て体８と共に固定体４を介して操作棒３が更に復動すると、連結体４０を介してテコ体４１は連結体４０によってテコ軸４５で回動し、アーム体３０を回動して閉状態にすると共に、ラチェット機構２１によって、相手人はアーム体３０を往動方向に引っ張っても、操作棒３は動かなくなり、アーム体３０を開状態にすることができない。
なお、このラチェット機構２１を解除して、使用可能状態にする操作は前記と同じである。このように、テコ体４１を介してアーム体３０を開閉可能に構成することもできる。
【００２６】
尚、本願発明は、胴当て体８の復動によって、アーム体３０を閉状態にできるものであり、ロック、アンロック機構１０とラチェット機構２１は必ずしも必要ではない。即ち、ロック、アンロック機構１０はアーム体３０の開状態を維持できる機構であり、ラチェット機構２１は一旦、閉状態になったアーム体３０を開状態にできない機構である。従って、胴当て体８を直接、操作棒３に連結すれば、胴当て体８の復動によってアーム体３０は閉状態になるし、一旦、閉状態になったアーム体３０に対して操作棒３が戻らないように硬く握ることをすればよい。
以上のように、本願発明は、アーム体３０の開閉機構を備えていればサスマタとして機能し、更に、使用向上のために、ロック、アンロック機構１０とラチェット機構２１を備えるか否かを選択する。
【００２７】
次に、図８,９を参照して他の構造のサスマタについて説明する。
図８はアーム３０が開状態であり、図９は閉状態である。尚、前記サスマタと同じ機能の部品には同じ符号を付す。
基体８０は、往復動可能な握体１を挿通可能な基体部８０ａと、その基体部８０ａを頂点とする強度のための逆三角形に形成の補強部８０ｂで構成してある。また、前記握体１は前記逆三角形の底部に当たる補強部８０ｂに挿通可能に形成してある。
また、前記握体１には菱形の突起部７０が取り付けてあり、前記握体１の端部は胴当て体８の作用をなす。前記突起部７０には回動軸７１ａで回動可能なテコ体７１が取り付けてあると共に、このテコ体７１の他端部に設けてある回動軸７１ｂには半環状体７が回動可能に取り付けてある。また、前記逆三角形の斜辺に当たる補強部８０ｂには前記半環状体７の支点として、回動軸Ａが設けてある。従って、半環状体７はテコ体７１を介して回動軸Ａで回動する。
尚、前記アーム体３０は前記握体１を中心に左右対称に構成されていて、突起部７０、テコ体７１及び半環状体7等で構成されて開閉動作する。
【００２８】
次に、前記サスマタの動作について説明すると、基体８０を手に持って、握体１を往動させると、突起部７０も往動し、テコ体７１を介して、右側の半環状体7は回動軸Ａを支点に時計方向に、左側の半環状体7は回動軸Ａを支点に反時計方向に回動して、アーム体３０を開状態になる。
このアーム体３０の開状態において、相手の腹部をめがけて押すと、前記握体１の端部（胴当て体８の作用）によって、前記握体１は基体８０に対して復動する。そのため、突起部７０が往動し、テコ体７１を介して、右側の半環状体7は回動軸Ａを支点に反時計方向に、左側の半環状体7は回動軸Ａを支点に時計方向に回動して、アーム体３０は閉状態になる。
この閉状態のアーム体３０を開状態にするためには、前記したように、基体８０を手に持って握体１を往動させる必要があり、このような処置をしない限り、アーム体３０は閉状態を維持する。従って、この構造のサスマタは、前記したロック、アンロック機構１０とラチェット機構２１を必ずしも備える必要がない。
以上のように、胴当て体の往復動によるアーム体の開閉を行う種々の構成のサスマタについて説明したが、前記部分の構成を適宜選択して新たな構成のサスマタであってもよい。
【符号の説明】
【００２９】
１  握体
３  操作棒
４  固定体
５  連結体
６  プレート
７  半環状体
８  胴当て体
９  ロック体
１０  ロック、アンロック機構
２１  ラチェット機構
３０  アーム体
４０  連結体
４１  テコ体
４５  テコ軸
７０  突起部
７１  テコ体
８０  基体
Ａ  回動軸
【図１】
0005719637.tif 000002
【図２】
0005719637.tif 000003
【図３】
0005719637.tif 000004
【図４】
0005719637.tif 000005
【図５】
0005719637.tif 000006
【図６】
0005719637.tif 000007
【図７】
0005719637.tif 000008
【図８】
0005719637.tif 000009
【図９】
0005719637.tif 000010